(57)【要約】      （修正有）【課題】本発明は、安価なFRPチェーンを得るために２次元織のFRPシートを用いてチェーン用リンクプレートを製造する方法の考案である。チェーンを構成する部品の中でリンクプレートの重量は大きい。また強度を要求される。このリンクプレートをFRPにすることにより軽量・高強度チェーンを実現する。【解決手段】FRP製品は一般にその製造工程が複数になるため素材の価格もさることながら製造工程数に応じたコストが発生し価格的に高価になる。FRP製品の製造方法として繊維を捲きつけていく方法がある。また、FRPの別な製造方法として、繊維をあらかじめある程度厚みのある３次元織物に織り上げておき、それを型材に巻きつけていく方法がある。解決しようとする課題は、これら方法より安価にFRPリンクプレートを製造する方法を考案することである。【選択図】図２
2013221550.tif 000002
【特許請求の範囲】
【請求項１】
縦糸と横糸で織られた１枚の二次元織物シートあるいは当該シートを複数枚重ねた物を全行程縦糸を切断することなく縦糸が中子断面内に中子に捲きつくように捲き、あるいは捲いた厚さ方向に横通し材を挿し樹脂で固めて造られた板状物、あるいは棒状物、あるいは棒状物を縦糸に平行に輪切りして得られた板状物、の繊維強化プラスチック材、あるいは1枚の二次元織物シートあるいは当該シートを複数枚重ねたものを全行程縦糸を切断することなく、二本或いは複数本の平行パイプあるいはロッドの周りに縦糸がパイプあるいはロッドに直角になるように捲きつけ、パイプあるいはロッド間で折り重ね、折り重ね厚さがパイプあるいはロッド径と同じになったら二本或いは複数本のパイプあるいはロッドに必要な厚さとなるまで再び捲き掛け、樹脂で固めることにより作られた板状物あるいは棒状物、あるいは折り重ね部と捲き重ね部とをまたがり横通し材を挿し樹脂で固めて得られた当該板状物、あるいは棒状物、あるいは棒状物を縦糸に平行に輪切りして作られる板状物、の繊維強化プラスチック材
【発明の詳細な説明】
【技術分野】
【０００１】
本発明は、繊維強化プラスチック材の製造に関するものである。その適用例をチェーンを構成するリンクプレートとし以下ではリンクプレートを中心に記述する。
【背景技術】
【０００２】
チェーンの素材は金属あるいは樹脂が用いられている。金属チェーンは強度はあるが重い、樹脂チェーンは金属チェーンに比べ強度は落ちるが軽い特徴がある。
【０００３】
実用に際し、金属チェーンのように強度があり、樹脂チェーンのように軽いチェーンが望まれる。
【０００４】
繊維強化プラスチック（FRP）は軽くて強度もあり、FRPでチェーンを製作すれば強くて軽いチェーンが得られる。  
【０００５】
下記先行技術文献に見られるようにFRPチェーンの製造が検討されている。  
【先行技術文献】
【特許文献】
【０００６】
【特許文献１】特開昭６１−２１１５５７号公報
【特許文献２】特開２００３−１０６３８０号公報
【発明の概要】
【発明が解決しようとする課題】
【０００７】
解決しようとする問題点は、FRP製品は概して製造工程が複雑でコスト高になることである。FRP製品は一般にその製造工程が複数になるため素材の価格もさることながら製造工程数に応じたコストが発生し価格的に高価になる。FRP製品の製造方法として繊維を捲きつけていく方法がある（特許文献１）。比較的機械化がし易く、人手を介さずにFRP繊維捲きつけによる成形が行えるため部品1個当たりの製造時間は少なく済むが、チェーン部品のような小型部品を大量に生産するには、捲きつけ装置の複数台化が必要であり、設備投資が大きくなる。また、FRPの別な製造方法として、繊維をあらかじめある程度厚みのある３次元織物に織り上げておき、それを型材に巻きつけていく方法がある（特許文献２）。３次元織物は厚さがあるので所要の捲き厚さを得るには、捲き回数が少なくて済むので製造効率は高くなる。チェーン用リンクプレートに要求される強度は引っ張り強さであり、FRPでは繊維密度が高いほど引っ張り強度は高まる。３次元織物では引っ張り強度を担う繊維は引っ張り加重方向に向いた繊維のみでありそれに直行する繊維は強度には寄与しない。従って、リンクプレートを構成する織物は引っ張り方向のみの繊維（縦糸）からなる樹脂でまとめた一方向材シートないしは縦糸を安定的に並べるために横糸を通したシート状の２次元織物でよい。また、２次元シートを捲き重ねることにより３次元織物よりもトータルとして縦糸の配向密度を高めることができるので３次元織物よりも体積当たりの引っ張り強度を高めることができる。コスト的にも３次元織物に比較し２次元織物の方が安価である。
【課題を解決するための手段】
【０００８】
本発明は、安価なFRPチェーンを得るために２次元織のFRPシートを用いてチェーン用リンクプレートを製造する方法の考案である。チェーンを構成する部品の中でリンクプレートの重量は大きい。また強度を要求される。このリンクプレートをFRPにすることにより軽量・高強度チェーンを実現する。
【発明の効果】
【０００９】
本発明のチェーンは軽量・高強度であり、現在使われている多様なチェーンを代替できる。
【図面の簡単な説明】
【００１０】
【図１】チェーンの一般的構造図である。
【図２】チェーンのリンクプレートを1枚のFRPシートで製造する方法である。（実施例１）
【図３】チェーンのリンクプレートを切り出すロッドを示す。（実施例１）
【図４】チェーンのリンクプレートの繊維剥離を防ぐ方法を示す。（実施例２）
【図５】チェーンのリンクプレートを切り出すロッドを示す。（実施例３）
【発明を実施するための形態】
【００１１】
1枚のFRPシートを二本のパイプないしロッドに捲きつけ・折り重ね・捲きつけの方法、あるいは1枚のFRPシートを中子に捲きるけることで、FRPリンクプレートを安価に製造する。FRPシートを複数枚重ねたものを用いてもよい。
【実施例１】
【００１２】
図２は、一枚のFRPシート５からリンクプレートを製造する方法を示す。二本の平行に配置したパイプ４の片方にFRPシートを二周程度捲きつけた後、他の一方のパイプに一周程度捲き掛け、その後は二本のパイプの間にFRPシートを折り重ねる。折り重ねは極力パイプ間に密になるようにすることが望ましい。折り重ね部分がパイプ径と同じになった後はFRPシートを二本のパイプに張力を掛けながら捲きつけ所要の厚さまで捲き重ねる。FRPシートはあらかじめ樹脂を含浸させたものを使うか、捲きつけた後に樹脂を含浸させる方法でもよい。
【００１３】
図３は樹脂が固まってできたリンクプレート切り出しロッド６を示す。６から４を引き抜くかあるいは４がパイプの場合はパイプを引き抜かずにパイプごと所要の厚さとなるように長手方向に輪切りすることによりリンクプレートが得られる。
【実施例２】
【００１４】
図４は６の厚さ方向に金属あるいは繊維からなる横通し材７を挿し込みプラスチックで固めることにより折り重ね部分と捲き付け部分との剥離耐性を向上させる方法を示す。
【００１５】
図５は4の代わりに中子８の周りに５を捲き付けて樹脂で固め、固まったものを所要厚さに輪切りしてプレートを作り、プレートの所要位置に穴あけをしてリンクプレートを作る例である。
【産業上の利用可能性】
【００１６】
現在主流である金属チェーンに対し、軽量・高強度かつ安価な価格の代替チェーンが求められている。FRPは金属に比べ延びの少ないこともチェーンの特性として好ましい。
【符号の説明】
【００１７】
１    リンクプレート
２    ブッシュ
３    結合ピン
４    パイプあるいはロッド
５    繊維織物布あるいはFRPシート
６    リンクプレート切り出しロッド
７    横通し材
８    中子
【図１】
2013221550.tif 000003
【図２】
2013221550.tif 000004
【図３】
2013221550.tif 000005
【図４】
2013221550.tif 000006
【図５】
2013221550.tif 000007